(57)【要約】【課題】煩雑な手続きを経ることなく、特定テーマの非匿名性のコミュニティに容易に加入することが可能なコミュニティ生成システムを提供する。【解決手段】結婚式を予定しているカップルが、招待者名簿を入力することによって、ネットワークコミュニティをあらかじめ生成しておく。そして、招待者に配布した招待状に印刷されたＱＲコードをカメラ付携帯電話で撮影することによってネットワークコミュニティへの参加が可能となる。これによって、ＳＮＳ等のような煩雑な手続きを経ることなく、特定テーマの非匿名性のコミュニティを容易に生成できる。【選択図】図１
2008198023.tif 000002
【特許請求の範囲】
【請求項１】
ネットワークを介してサーバにおいて実イベントの参加者を加入者として生成される実イベントと連動したネットワークコミュニティ生成システムであって、
実イベントの参加者のＩＤと、氏名と、住所と、ネットワークコミュニティへの未参加・参加情報とを関連付けて登録したユーザデータベースと、
前記サーバ内に実イベントの単位で生成されるネットワークコミュニティへのアクセスを許可するためのページの参加アドレスをＩＤ（ＵＲＬ）毎に生成し、当該参加アドレスを定義した二次元バーコードを生成する二次元バーコード生成部と、
実イベント参加者に郵送される郵送媒体に対して、少なくとも前記ユーザデータベースから住所と氏名と二次元バーコードとを印刷する印刷部と、
実イベント参加者が郵送された郵送媒体に印刷された二次元バーコードを撮影機能付携帯電話端末で撮像して、当該撮影機能付携帯電話端末から前記参加アドレス（ＵＲＬ）へのネットワークアクセスを受け付けるコミュニティ参加受付部と、
前記撮影機能付携帯電話端末から参加アドレス（ＵＲＬ）へのネットワークアクセスによって、前記ユーザデータベースの未参加・参加情報を「参加」状態に書き換え、当該実イベントの参加者によるネットワークコミュニティのために設定された領域へのアクセスを許可するコミュニティ管理部とからなる実イベントと連動したネットワーク上のコミュニティ生成システム。
【請求項２】
前記実イベントは結婚式であり、前記ユーザデータベースは新郎新婦が結婚式の招待状を郵送する招待客のリストをデータ入力することによって生成されたことを特徴とする請求項１記載の実イベントと連動したネットワーク上のコミュニティ生成システム。
【発明の詳細な説明】
【技術分野】
【０００１】
本発明は、ネットワーク上のユーザ間のコミュニケーションのためのコミュニティ生成システムに関する。
【背景技術】
【０００２】
汎用ネットワークであるインターネット（ＴＣＰ／ＩＰ）によるデータ通信網では、ユーザがアクセスするサーバ内に許可されたユーザＩＤを所有するユーザのみが情報の閲覧とアップロードが可能なコミュニティと呼ばれる掲示板が設けられている。
【０００３】
近年このような掲示板は、誹謗中傷が問題視されたこともあり、匿名性の掲示板から非匿名性の掲示板が注目されている。
【０００４】
その中でも、ＳＮＳ（ソーシャル・ネットワーク・サービス）と呼ばれる、会員の紹介がないと加入できないソサエティにまず加入し、その中で共通の話題毎に設定されたコミュニティに承認申請して参加する形式のものが汎用的になってきている。
【０００５】
たとえば、コミュニティ内で交換されていた過去の情報の更新と、既存のコミュニティの活性化を図ることのできる情報交換方法およびそれを用いた情報交換装置を提供するための技術として特許文献１がある。
【特許文献１】特開２００３−２０８３８６号公報
【発明の開示】
【発明が解決しようとする課題】
【０００６】
しかし、前記のようなＳＮＳを前提としたコミュニティでは、まず加入を希望するユーザが、そのコミュニティが設定されているＳＮＳの既会員ユーザにＳＮＳへの加入誘引メールを自身のアドレスに対して送信してもらい、当該メールの本文中に設定された加入承認ページのＵＲＬにアクセスして個人情報を入力することでまずＳＮＳの会員になり、その後、当該ＳＮＳ内のコミュニティに参加申請するという２段階の承認手続きを経なければ希望するコミュニティに参加できないのが現状だった。
【０００７】
本発明は、このような点に鑑みてなされたものであり、煩雑な手続きを経ることなく、特定テーマの非匿名性のコミュニティに容易に加入することが可能なコミュニティ生成システムを提供することを技術的課題とする。
【課題を解決するための手段】
【０００８】
前記課題を解決するために、本発明では、以下の手段を採用した。
【０００９】
本発明の第１は、ネットワークを介してサーバにおいて実イベントの参加者を加入者として生成される実イベントと連動したネットワークコミュニティ生成システムであって、実イベントの参加者のＩＤと、氏名と、住所と、ネットワークコミュニティへの未参加・参加情報とを関連付けて登録したユーザデータベースと、前記サーバ内に実イベントの単位で生成されるネットワークコミュニティへのアクセスを許可するためのページの参加アドレスをＩＤ（ＵＲＬ）毎に生成し、当該参加アドレスを定義した二次元バーコードを生成する二次元バーコード生成部と、実イベント参加者に郵送される郵送媒体に対して、少なくとも前記ユーザデータベースから住所と氏名と二次元バーコードとを印刷する印刷部と、実イベント参加者が郵送された郵送媒体に印刷された二次元バーコードを撮影機能付携帯電話端末（ＭＰ）で撮像して、当該撮影機能付携帯電話端末（ＭＰ）から前記参加ア
ドレス（ＵＲＬ）へのネットワークアクセスを受け付けるコミュニティ参加受付部と、前記撮影機能付携帯電話端末（ＭＰ）から参加アドレス（ＵＲＬ）へのネットワークアクセスによって、前記ユーザデータベースの未参加・参加情報を「参加」状態に書き換え、当該実イベントの参加者によるネットワークコミュニティのために設定された領域へのアクセスを許可するコミュニティ管理部とからなる実イベントと連動したネットワーク上のコミュニティ生成システムである。
【００１０】
前記実イベントは、たとえば結婚式であり、前記ユーザデータベースは新郎新婦が結婚式の招待状を郵送する招待客のリストをデータ入力することによって生成されたことを特徴とする実イベントと連動したネットワーク上のコミュニティ生成システムである。
【発明の効果】
【００１１】
本発明によれば、イベント参加者が参加者名簿（氏名と住所）をユーザデータベースとして登録するだけで、当該イベント参加者に対して二次元バーコードが印刷されたイベントの招待状が届き、当該招待状を受け取ったユーザは撮影機能付携帯電話端末で当該二次元バーコードを撮像してネットワークアクセスするだけでネットワークコミュニティに参加することができる。
【００１２】
このように実イベントの参加者を加入予定者としたネットワークコミュニティを生成することによって、ユーザは前もってＳＮＳとコミュニティに段階的に参加・承認を受ける手続の煩雑さや、個人情報の入力作業を経ることなくネットワークコミュニティに参加できる。
【００１３】
しかも、当該実イベントの開催前に実イベントの参加予定者同士でコミュニティを生成できるため、実イベントの計画等の情報交換が可能となり、実イベントを円滑に運用することが可能となる。
【発明を実施するための最良の形態】
【００１４】
本発明を実施するための最良の形態を図を用いて説明する。
【００１５】
図１は、本発明のシステム構成を示している。
【００１６】
同図に示すように、サーバは、汎用の情報処理装置であり、中央処理装置（ＣＰＵ）を中心に、バス（ＢＵＳ）を介して接続されたメインメモリ（ＭＭ）、大規模記憶装置としてのハードディスク装置（ＨＤ）、入力装置としてのキーボード（ＫＢＤ）、出力装置としてのディスプレイ装置（ＤＩＳＰ）および印刷装置（ＰＲＮ）等を有している。
【００１７】
また、サーバのバス（ＢＵＳ）は、インターフェース（Ｉ／Ｏ）を介してネットワークに接続されている。
【００１８】
前記ハードディスク装置（ＨＤ）には、オペレーティングシステム（ＯＳ）とともにアプリケーションプログラム（ＡＰＲ）がインストールされており、当該アプリケーションプログラムを中央処理装置（ＣＰＵ）が読み出して順次実行処理することによって、以下に説明するネットワークコミュニティが生成される。
【００１９】
また、ハードディスク装置（ＨＤ）には、ユーザデータベース（ＵＤＢ）とコミュニティ管理テーブル（ＣＭＴ）が登録されている。なお、このユーザデータベース（ＵＤＢ）は本サーバとは別のデータベースサーバに設定されていてもよい。
【００２０】
ユーザデータベース（ＵＤＢ）は、ユーザＩＤと氏名と住所と備考とコミュニティ参加
フラグとで構成されている。ここでコミュニティ参加フラグは初期値では０（未参加）となっている。
【００２１】
本実施形態において、ユーザデータベース（ＵＤＢ）は、結婚式の招待者の氏名と住所を入力することによって構築される。この入力は、あらかじめ新郎・新婦が作成した招待客名簿に基づいて文字入力されたキャラクタデータをコンバートしてもよい。
【００２２】
次に、中央処理装置(ＣＰＵ）がアプリケーションプログラム（ＡＰＲ）を読み込むこ
とによって実現する二次元バーコード生成部は、ＩＤ毎に固有のネットワークコミュニティの加入アドレス（ＵＲＬ）を生成し、これを二次元バーコード化（ここではＱＲコード化）してそのイメージ画像を生成する。
【００２３】
中央処理装置（ＣＰＵ）は、このＱＲコードと氏名、住所とを読み出して印刷装置（ＰＲＮ）を使って結婚式の招待状にこれらの情報を印刷する。
【００２４】
次に前記招待状が招待者の住所に郵送され、招待者が自身の撮影機能付携帯電話端末（ＭＰ）で招待状に印刷されたＱＲコードを撮影すると、当該撮影機能付携帯電話端末（ＭＰ）にインストールされたバーコード読み取りプログラムによって処理されて、コミュニティのＩＤ固有の加入アドレス（ＵＲＬ）に復号されて当該撮影機能付携帯電話端末（ＭＰ）の液晶ディスプレイに表示される。
【００２５】
このＩＤ固有の加入アドレスに基地局（ＢＳ）およびネットワーク（ＮＷ）を介してアクセスすると、サーバの中央処理装置（ＣＰＵ）は、ユーザデータベース（ＵＤＢ）のＩＤに対応するコミュニティ参加フラグを１（参加）に書き換える。これによって当該ＩＤを有するユーザは、当該実イベント毎に設定されたコミュニティ管理テーブル（ＣＭＴ）にユーザ登録がなされる。
【００２６】
その後、当該ＩＤを有するユーザは、実イベントに対応したネットワークコミュニティへの参加が可能となり、ハードディスク装置（ＨＤ）内の当該ネットワークコミュニティ領域へのアクセスが可能となる。
【００２７】
ここでコミュニティの構成については、従来の非匿名性の掲示板やフォーラム等と呼ばれるものと同じであるため説明は省略するが、要するに実イベントの招待者の中で、コミュニティに参加を希望したユーザのみが参加できる情報のアップロード・ダウンロードが可能な掲示板であり、コミュニティ管理テーブル（ＣＭＴ）によって加入者が管理されている。
【００２８】
このように、本実施形態によれば、実イベントに関連してネットワークコミュニティ（掲示板）が生成されるため、ＳＮＳ等への参加手続の必要がなくただちにコミュニティに参加できる。
【００２９】
しかも当該コミュニティは、実イベントが前提であるため、既に実イベントへの招待のための個人情報が既にユーザデータベース（ＵＤＢ）に登録されているため、加入希望者から再度個人情報を入力させる必要がない。
【００３０】
さらに、実イベントに先立ってネットワークコミュニティを生成するため、実イベントの参加者はまずネットワークコミュニティ上で実イベントの準備を相談したりコミュニケーションを図ることが可能となり、実イベントを円滑に運営することが可能となる。
【００３１】
なお、本実施形態では実イベントとして結婚式を想定したが、これに限らず冠婚葬祭を
はじめあらゆる実イベントが想定できる。
【産業上の利用可能性】
【００３２】
本発明は、ネットワークコミュニティの生成システムに利用できる。
【図面の簡単な説明】
【００３３】
【図１】本発明の実施形態であるネットワークシステムを示す図
【図２】実施形態のユーザデータベースの構成を示す図
【符号の説明】
【００３４】
ＣＰＵ  中央処理装置
ＭＭ  メインメモリ
ＤＩＳＰ  ディスプレイ装置
ＫＢＤ  キーボード
ＢＵＳ  バス
ＨＤ  ハードディスク装置
ＯＳ  オペレーティングシステム
ＡＰＲ  アプリケーションプログラム
ＵＤＢ  ユーザデータベース
ＰＲＮ  印刷装置
ＮＷ  ネットワーク
ＢＳ  基地局
ＭＰ  撮影機能付携帯電話端末
ＣＭＴ  コミュニティ管理テーブル
【図１】
2008198023.tif 000003
【図２】
2008198023.tif 000004